(57)【要約】【課題】一般的に、電動工具はねじ締め作業や穴あけ作業等の本来の作業目的に特化して用いられる。電動工具を、その主たる用途とは全く異なる他の用途にも用いることができれば、これら電動工具の用途を拡大することができ、ひいてはその付加価値を一層高めることができる。【解決手段】電動工具１の出力部にアタッチメント１０を取り付けて、本来のねじ締め作業とは異なる用途に利用できるようにする。アタッチメント１０は、電動工具１の回転出力によりフィン１２を回転させてアタッチメントケース１１の吹き出し口１１ｆから圧縮エアを吹き出す構成を備えている。これにより電動工具１をエアブローとして利用できるようになる。【選択図】図１
2018015864.tif 000002
【特許請求の範囲】
【請求項１】
電動工具をその主たる用途とは異なる他の用途に用いることができるようにするために前記電動工具に装着するアタッチメント。
【請求項２】
請求項１記載のアタッチメントであって、前記電動工具の回転出力を利用して風を吹き出すアタッチメント。
【請求項３】
請求項２記載のアタッチメントであって、風を吹き出すための通風路が風下側に絞られたアタッチメント。
【請求項４】
請求項１記載のアタッチメントであって、前記電動工具の回転出力を揺動運動に変換して出力するアタッチメント。
【請求項５】
請求項４記載のアタッチメントであって、前記電動工具の回転出力を上下方向の揺動運動に変換して出力するアタッチメント。
【請求項６】
請求項４記載のアタッチメントであって、前記電動工具の回転出力を左右方向の揺動運動に変換して出力するアタッチメント。
【請求項７】
請求項１記載のアタッチメントであって、前記電動工具の回転出力を減速するための遊星歯車列を内装したアタッチメント。
【請求項８】
請求項１記載のアタッチメントであって、前記電動工具の回転出力を往復動に変換して出力するアタッチメント。
【請求項９】
請求項１〜８の何れか１項に記載したアタッチメントを備えた電動工具。
【発明の詳細な説明】
【技術分野】
【０００１】
この発明は、例えばねじ締め作業に用いるねじ締め機、あるいは穴あけ作業に用いられる電動ドリル等の電動工具に用いることができるアタッチメントに関する。
【背景技術】
【０００２】
下記の特許文献には、例えば建築現場等で用いるインパクト式のねじ締め機に関する技術が開示されている。このねじ締め機は、ねじ締め込み方向に打撃を与えるためのインパクト機構を内装するもので、強固なねじ締めを迅速に行うことができる。また、特に先行技術文献を示すまでもなく、穴あけ作業には電気ドリルが用いられる。これらの電動工具は、駆動源としての電動モータを内装した工具本体部に加えて使用者が把持するグリップ部を備えており、使用者はグリップ部を片手で把持して当該電動工具を用いることができる。これらの電動工具は、ねじ締め作業あるいは穴あけ作業の本来想定された作業にほぼ特化して用いられる。
【先行技術文献】
【特許文献】
【０００３】
【特許文献１】特開２０１４−１１３６６４号公報
【発明の概要】
【発明が解決しようとする課題】
【０００４】
このように、電動工具はねじ締め作業あるいは穴あけ作業等の本来の作業目的に特化して用いられるものであるが、係る主たる用途とは全く異なる他の用途にも用いることができれば、これら電動工具の用途を拡大することができ、ひいてはその付加価値を一層高めることができる。
【０００５】
本発明は、ねじ締め機等の電動工具について、その主たる用途とは異なる他の用途にも用いることができるようにするためのアタッチメントを提供することを目的とする。
【課題を解決するための手段】
【０００６】
上記の課題は、以下の各発明により解決される。第１の発明は、電動工具をその主たる用途とは異なる他の用途に用いることができるようにするために前記電動工具に装着するアタッチメントである。
【０００７】
第１の発明によれば、電動工具に他用途用のアタッチメントを装着すれば、当該電動工具をその主たる用途以外の用途に用いることができ、これにより当該電動工具の用途を拡大することができるとともに、その付加価値を高めることができる。例えば、主たる用途がねじ締め付け作業である電動ねじ締め機に他用途用のアタッチメントを装着することにより、当該電動ねじ締め機をエアブロワー、電動爪磨き機や電動毛剃り機等の理美容器具、踵の角質層を削り取る電動垢とり機、車両のタイヤホイールを洗浄するための電動洗浄ブラシ等として用いることができる。
【０００８】
第２の発明は、第１の発明において、電動工具の回転出力を利用して風を吹き出すアタッチメントである。
【０００９】
第２の発明によれば、例えば主たる用途がねじ締め作業である電動ねじ締め機を、エアブロワーとして用いることができる。
【００１０】
第３の発明は、第２の発明において、風を吹き出すための通風路が風下側に絞られたアタッチメントである。
【００１１】
第３の発明によれば、エアブロワーとして用いる場合の風力を高めることができる。
【００１２】
第４の発明は、電動工具の回転出力を揺動運動に変換して出力するアタッチメントである。
【００１３】
第４の発明によれば、例えば主たる用途がねじ締め作業である電動ねじ締め機を、電動爪磨き機や電動毛剃り機等の理美容器具として用いることができる。
【００１４】
第５の発明は、第４の発明において、電動工具の回転出力を上下方向の揺動運動に変換して出力するアタッチメントである。
【００１５】
第５の発明によれば、アタッチメントの刃具を上下に揺動させて爪磨きや毛剃りに用いることができる。
【００１６】
第６の発明は、第４の発明において、電動工具の回転出力を左右方向の揺動運動に変換して出力するアタッチメントである。
【００１７】
第６の発明によれば、アタッチメントの刃具を左右に揺動させて爪磨きや毛剃りに用いることができる。
【００１８】
第７の発明は、第１の発明において、電動工具の回転出力を減速するための遊星ギヤ列を内装したアタッチメントである。
【００１９】
第７の発明によれば、電動工具の出力をアタッチメントの用途の合わせて減速して出力することができる。
【００２０】
第８の発明は、第１の発明において、電動工具の回転出力を往復動に変換して出力するアタッチメントである。
【００２１】
第８の発明によれば、主たる用途がねじ締め作業である電動ねじ締め機を、毛先を前後に往復動させる電動ブラシとして用いることができる。
【００２２】
第９の発明は、第１〜第８の何れか１つの発明に係るアタッチメントを備えた電動工具である。
【００２３】
第９の発明によれば、アタッチメントを取り外すことにより、当該電動工具を例えばねじ締め作業等の主たる用途に用いることができる。
【図面の簡単な説明】
【００２４】
【図１】主たる用途としてねじ締め作業に用いられるインパクト式ねじ締め機に、第１実施形態に係るアタッチメントを装着した状態を示す縦断面図である。
【図２】第１実施形態に係るアタッチメントの斜視図である。
【図３】第１実施形態に係るアタッチメントの分解斜視図である。
【図４】主たる用途としてねじ締め作業に用いられるインパクト式ねじ締め機に、第２実施形態に係るアタッチメントを装着した状態を示す縦断面図である。
【図５】第２実施形態に係るアタッチメントの斜視図である。
【図６】第２実施形態に係るアタッチメントの分解斜視図である。
【図７】第２実施形態に係るアタッチメントの縦断面図である。本図は、刃具が下向きに揺動した状態を示している。
【図８】第２実施形態に係るアタッチメントの縦断面図である。本図は、刃具が上向きに揺動した状態を示している。
【図９】主たる用途としてねじ締め作業に用いられるインパクト式ねじ締め機に、第３実施形態に係るアタッチメントを装着した状態を示す縦断面図である。
【図１０】第３実施形態に係るアタッチメントの斜視図である。
【図１１】第３実施形態に係るアタッチメントの分解斜視図である。
【図１２】主たる用途としてねじ締め作業に用いられるインパクト式ねじ締め機に第４実施形態に係るアタッチメントを装着した状態を示す縦断面図である。
【図１３】第４実施形態に係るアタッチメントの斜視図である。
【図１４】第４実施形態に係るアタッチメントの分解斜視図である。
【図１５】第５実施形態に係るアタッチメント式の電動工具であって、主たる用途としてねじ締め作業に用いられるインパクト工具の全体斜視図である。
【図１６】第５実施形態に係るアタッチメントを装着した電動工具の縦断面図である。
【図１７】第５実施形態に係るアタッチメントの斜視図である。
【図１８】第５実施形態に係るアタッチメントの分解斜視図である。
【図１９】主たる用途としてねじ締め作業に用いられるインパクト工具に、第６実施形態に係るアタッチメントを装着した状態を示す縦断面図である。
【図２０】第６実施形態に係るアタッチメントの分解斜視図である。
【発明を実施するための形態】
【００２５】
次に、本発明の実施形態を図１〜図２０に基づいて説明する。図１は第１実施形態に係るアタッチメント１０を装着した電動工具１を示している。以下説明する実施形態では、電動工具１として、ねじ締め方向に打撃を与えるインパクト式のねじ締め機（インパクトドライバ）を例示する。電動工具１の前後方向については、出力側（先端工具側）を前側とし、使用者から見て手前側を後ろ側とする。また、左右方向についてはグリップ部を把持した使用者を基準にして用いる。
【００２６】
電動工具１は、工具本体部２と、工具本体部２の下面から下方へ突き出す状態に設けられたグリップ部３を備えている。使用者は主としてこのグリップ部３を片手で把持して当該電動工具１を用いることができる。工具本体部２は、概ね円筒形をなす樹脂製の本体ハウジング２ａと、本体ハウジング２ａの前部に結合された金属製のインパクトケース２ｂ内に、後ろ側から順に電動モータ４、遊星ギヤ列５、インパクト機構６を内装した構成を備えている。インパクトケース２ｂの外周側は樹脂製のインパクトケースカバー２ｃで覆われている。インパクトケースカバー２ｃの前側には、衝撃吸収用のバンパ２ｄが取り付けられている。インパクトケース２ｂの前端部がバンパ２ｄの内周側から前方へ突き出されている。
【００２７】
電動モータ４の回転出力は遊星ギヤ列５で減速されてインパクト機構６に伝達される。インパクト機構６は、電動モータ４の回転出力をねじ締め方向の打撃動作に変換して出力する機能を有するもので、その前部側の出力軸６ａはインパクトケース２ｂの前部から前方へ突き出されている。インパクトケース２ｂの前部から突き出された出力軸６ａには、ビット装着部７が設けられている。このビット装着部７により、ねじ締め用のねじ締めビット（図示省略）を出力軸６ａにワンタッチで取り付け、取り外しすることができる。
【００２８】
グリップ部３は、使用者が当該電動工具１を使用する際に把持する部分であり、その前面上部には使用者が指先で引き操作するトリガ形式のスイッチレバー３ａが設けられている。このスイッチレバー３ａを引き操作するとグリップ部３内に収容したスイッチ本体３ｂがオンして駆動源としての電動モータ４が起動する。工具本体部２の前部下面であって、グリップ部３の前面上部付近には、ねじ締めビット周辺を明るく照らすための照明具２ｅが設けられている。
【００２９】
グリップ部３の下部には、電源部８が設けられている。電源部８は、グリップ部３の下部から主として前方へ張り出すほぼ平板形状を有している。電源部８の下面側に電源としてのバッテリパック９が取り付けられている。電源部８内には、モータ制御回路や電源回路等を含む制御基板を矩形底浅のケースに内装したコントローラ８ａが組み込まれている。
【００３０】
電源部８の下面に対してバッテリパック９を前側から後ろ側へスライドさせることにより当該バッテリパック９を電源部８に取り付けることができる。バッテリパック９は、例えば出力電圧１８Ｖ仕様のリチウムイオンバッテリで、取り外して別途用意した充電器で充電することにより繰り返し使用することができる。
【００３１】
電源部８の上面には、バッテリパック９の残容量や工具本体部２の動作状態を表示するための表示部８ｂが設けられている。この表示部８ｂには、各種表示の他、照明具２ｅのオンオフ状態を切り換える照明スイッチや動作モードを切り換えるためのモード切替スイッチが配置されており、操作パネルとしても機能する。電源部８の後部には、ループ形のハンドストラップ８ｃが取り付けられている。ハンドストラップ８ｃに手首を通しておくことにより、当該電動工具１を誤って落下させてしまうことが防止される。
【００３２】
以上のように構成した電動工具１には、当該電動工具をその主たる用途（ねじ締作業）とは異なる他の用途に用いることができるようにするためのアタッチメント１０を装着することができる。以下、他用途使い用のアタッチメントの種々形態について説明する。第１実施形態のアタッチメント１０は、電動工具１をエアブロワとして使用できるようにするためのアタッチメントで、工具本体部２の先端に着脱可能に装着されている。
【００３３】
図２及び図３に示すようにブロワ用のアタッチメント１０は、円筒形のアタッチメントケース１１と、アタッチメントケース１１に内装したスクリュー形のフィン１２を備えている。アタッチメントケース１１は、フロントケース１１ａとリヤケース１１ｂをねじ結合した分割構造を有している。アタッチメントケース１１の後部（リヤケース１１ｂ）に、工具本体部２に対する結合部１１ｃが設けられている。結合部１１ｃは、円環形状を有する部位で、その内周側に本体ハウジング２ａの先端部（インパクトケース２ｂの先端部）を進入させて１本のねじ１１ｄによるねじ止めにより当該アタッチメントケース１１を工具本体部２に対して同軸に結合することができる。１本のねじ止めを緩めれば、当該アタッチメント１０を工具本体部２から簡単に取り外すことができる。
【００３４】
アタッチメントケース１１の先端に風が吹き出される吹き出し口１１ｆが設けられている。また、アタッチメントケース１１の長手方向中ほどであってフロントケース１１ａの後部には、吸気口１１ｅが設けられている。リヤケース１１ｂの前部には一つの軸受１３が保持されている。この軸受１３を介してフィン１２が回転自在に支持されている。フィン１２の軸部１２ａの後部が軸受１３に保持されている。軸部１２ａの後部には、駆動軸１４が同軸に結合されている。駆動軸１４は、軸部１３の後部に対してスプライン結合されており、同軸で一体回転し、かつ軸方向に抜き差し可能に結合されている。駆動軸１４が、ビット装着部７を介して電動工具１の出力軸６ａに結合されている。
【００３５】
アタッチメントケース１１のフロントケース１１ａは、先端側が小径となる先細り形状を有している。これに合わせてフィン１２も先端側が小径となる先細り形状を有している。電動工具１の回転出力が駆動軸１４を経て軸部１２ａに伝達されてフィン１２が回転する。フィン１２がアタッチメントケース１１内で回転することにより、吸気口１１ｅから外気が吸気され、これがアタッチメントケース１１内で圧縮されて吹き出し口１１ｆから吹き出される。特に、アタッチメントケース１１のフロントケース１１ａ側が先端先細り形状を有していることから、吸気された外気が効率よく圧縮されて吹き出し口１１ｆから十分な風力で吹き出される。
【００３６】
ビット装着部７の操作により、電動工具１の出力軸６ａからねじ締め用のビットをワンタッチで取り外して、アタッチメント１０を装着することができる。先ず、駆動軸１４のみをビット装着部７の操作により出力軸６ａにワンタッチで取り付ける。次に、アタッチメントケース１１の結合部１１ｃをねじ１１ｄで本体ハウジング２ａの前部にねじ結合する。この際、アタッチメントケース１１のフロントケース１１ａとリヤケース１１ｂは分離した状態であっても、予め結合した状態であってもよい。分離した状態でリヤケース１１ｂのみを本体ハウジング２ａにねじ結合した後に、フロントケース１１ａをリヤケース１１ｂにねじ結合することができる。この段階で、駆動軸１４がフィン１２の軸部１２ａにスプライン結合される。予めフロントケース１１ａとリヤケース１１ｂを相互にねじ結合した状態で、本体ハウジング２ａに結合する場合には、結合部１１ｃ内に本体ハウジング２ａの前部を進入させる段階で、駆動軸１４がフィン１２の軸部１２ａにスプライン結合される。
【００３７】
電動工具１からアタッチメント１０を取り外す際には、ねじ１１ｄを緩めればよい。ねじ１１ｄを緩めて結合部１１ｃの結合状態を解除することにより、アタッチメントケース１１とフィン１２を同時に電動工具１から取り外すことができる。この時に、駆動軸１４の軸部１２ａに対するスプライン結合も解除される。アタッチメントケース１１とフィン１２を取り外した後、ビット装着部７の操作により駆動軸１４を出力軸６ａから取り外すことができる。
【００３８】
以上のように構成した第１実施形態のアタッチメント１０によれば、主たる用途がねじ締め作業である電動工具１を、ねじ締め作業とは異なる用途、例えば粉塵吹き飛ばし作業に用いるエアブロワとして使用することができる。これにより当該電動工具１の用途を拡大することができるとともに、その付加価値を高めることができる。
【００３９】
図４には第２実施形態に係るアタッチメント２０を装着した電動工具１が示されている。電動工具１は変更を要しないので同位の符号を用いてその説明を省略する。第２実施形態のアタッチメント２０は、電動工具１を、例えば毛剃りや爪磨き等の理美容機器として利用するために装着される。
【００４０】
図５及び図６に示すように、第２実施形態のアタッチメント２０は、円筒形のアタッチメントケース２１と、半円等形の蓋部２２と、駆動軸２３と、中間作動軸２４と、出力軸２５と、先端刃具２６を備えている。駆動軸２３は、ねじ締め用のビットに相当するもので、電動工具１のビット装着部７に差し込んで装着される。駆動軸２３の先端には、スプライン軸部２３ａが設けられている。
【００４１】
ビット装着部７に駆動軸２３を装着した後に、アタッチメントケース２１が電動工具１側に取り付けられる。アタッチメントケース２１の後部に結合部２１ａが設けられている。アタッチメントケース２１の後部内周側にインパクトケース２ｂの前端部を挿入した状態で結合部２１ａを１本のねじ２７で締め込むことにより、アタッチメントケース２１が工具本体部２に結合される。アタッチメントケース２１には、軸受２８を介して中間作動軸２４が回転自在に支持されている。中間作動軸２４の後部には、スプライン嵌合孔２４ａが設けられている。上記のようにアタッチメントケース２１の後部内周側にインパクトケース２ｂの前端部を挿入させる段階で、中間作動軸２４のスプライン嵌合孔２４ａに駆動軸２３のスプライン軸部２３ａが挿入される。
【００４２】
中間作動軸２４の前側においてアタッチメントケース２１の前部に、出力軸２５が支持されている。中間作動軸２４の前部には、偏心軸部２４ｂが設けられている。偏心軸部２４ｂは、出力軸２５の後面に設けた係合孔２５ａに挿入されている。図６に示すように係合孔２５ａが左右に長い小判孔形状を有している。出力軸２５の長手方向中ほどには、傾動支持部２５ｂが設けられている。傾動支持部２５ｂは、支軸２９を介してアタッチメントケース２１に傾動可能に支持されている。傾動支持部２５ｂは、上下方向にのみ傾動可能な状態でアタッチメントケース２１に支持されている。出力軸２５の上方は、蓋部２２で閉塞されている。蓋部２２は、２本のねじ２２ａでアタッチメントケース２１に結合されている。出力軸２５の前部は、アタッチメントケース２１の前部から前方へ突き出されている。突き出された前部に、先端刃具２６が取り付けられている。
【００４３】
スイッチレバー３ａを引き操作して電動モータ４を起動させると、工具本体部２の出力軸６ａがねじ締め方向に回転する。このため、ビット装着部７に装着した駆動軸２３がねじ締め方向に回転する。駆動軸２３の回転によりスプライン結合を経て中間作動軸２４が一体で回転する。中間作動軸２４の回転により偏心軸部２４ｂが駆動軸２３の軸線回りに公転する。偏心軸部２４ｂの公転により、その上下方向成分が出力軸２５に伝達される結果、当該出力軸２５が支軸２９を中心にして上下に傾動する。図７は、先端刃具２６が下向きに揺動した状態を示している。図８は、先端刃具２６が上向きに揺動した状態を示している。出力軸２５の上下傾動動作により、先端刃具２６が支軸２９を中止にして上下に高速度で揺動運動（上下首振り動作）する。
【００４４】
以上のように構成した第２実施形態のアタッチメント２０によれば、電動モータ４の回転動力が上下の高速揺動運動に変換されて先端刃具２６に出力される。先端刃具２６の高速揺動運動により、当該電動工具１を、例えば爪磨き等の理美容機器として利用することができる。
【００４５】
図９には、第３実施形態のアタッチメント３０を取り付けた電動工具１が示されている。電動工具１から取り外した状態のアタッチメント３０が図１０及び図１１に示されている。第３実施形態のアタッチメント３０は、先端刃具の形態が第２実施形態のアタッチメント２０とは異なっている。同様の部材及び構成について同位の符号を用いてその説明を省略する。第３実施形態のアタッチメント３０は、先端刃具として内刃３１と外刃３５を備えている。内刃３１は、ねじ３２で、出力軸２５の先端部に結合されている。出力軸２５は、第２実施形態と同じく、アタッチメントケース２１の前部に支持されている。出力軸２５の先端部は、アタッチメントケース２１の前端から前方へ突き出されている。この突き出し部分に内刃３１が結合されている。電動モータ４が起動すると、出力軸２５が支軸２９を中心にして上下に揺動することにより、内刃３１が上下に高速揺動する。
【００４６】
アタッチメントケース２１の前端には、外刃ケース３３が取り付けられている。外刃ケース３３は、アタッチメントケース２１と同じ径（太さ）を有する円筒形状を有しており、２本のねじ３４でアタッチメントケース２１に結合されている。外刃ケース３３の内周側に内刃３１が収容されている。外刃ケース３３の前面に外刃３５が嵌め込まれて取り付けられている。
【００４７】
外刃３５の内面に沿って、内刃３１が上下に揺動する状態（電動工具１の起動状態）で、当該外刃３５をムダ毛処理をしたい部位に押し付けることによりムダ毛が内刃３１で剃り取られる。このように第３実施形態のアタッチメント３０によっても、ねじ締め作業が主たる用途であるインパクト式のねじ締め機１をムダ毛処理等の理美容機器として利用することができる。
【００４８】
図１２〜図１４には、第４実施形態のアタッチメント４０が示されている。第４実施形態に係るアタッチメント４０は、ねじ締め作業が主たる用途である電動工具１を、例えば人の踵や膝等の角質化した皮膚を削り取るための理美容機器として利用できるようにするための機能を有している。
【００４９】
図１２は、ねじ締め作業が主たる用途であるインパクト式のねじ締め機１に第４実施形態のアタッチメント４０を取り付けた状態を示している。電動工具１については第１〜第３実施形態と同様のねじ締め機を適用可能であることから、同位の符号を付してその説明を省略する。図１３及び図１４に、アタッチメント４０の詳細が示されている。
【００５０】
第４実施形態のアタッチメント４０は、円筒形のアタッチメントケース４１を備えている。アタッチメントケース４１は、フロントケース４１ａとリヤケース４１ｂに二分されている。フロントケース４１ａの内周側に雌ねじ部４１ｄが設けられ、リヤケース４１ｂの前部に雄ねじ部４１ｅが設けられている。雌ねじ部４１ｄに雄ねじ部４１ｅを締め込んで、フロントケース４１ａとリヤケース４１ｂが相互にねじ結合されている。電動工具１の出力軸６ａのビット装着部７に駆動軸４２が装着される。駆動軸４２の先端部にはギヤ部４２ａが設けられている。駆動軸４２は、軸受４３を介してアタッチメントケース４１のリヤケース４１ｂに回転可能に支持されている。アタッチメントケース４１のリヤケース４１ｂには第２、第３実施形態と同じく結合部４１ｃが設けられている。結合部４１ｃに１本のねじ４４を締め込んで、アタッチメントケース４１ひいては当該アタッチメント４０がインパクトケース２ｂの前端部に結合される。
【００５１】
駆動軸４２のギヤ部４２ａはリヤケース４１ｂから前方へ突き出されている。ギヤ部４２ａは、遊星ギヤ列４５のサンギヤとして機能する。サンギヤとしてのギヤ部４２ａに３つのプラネタリギヤ４５ａが噛み合わされている。３つのプラネタリギヤ４５ａは、インターナルギヤ４５ｂの内周側に噛み合わされている。図１２に示すようにインターナルギヤ４５ｂは、アタッチメントケース４１のフロントケース４１ａとリヤケース４１ｂとの間に挟み込まれている。遊星ギヤ列４５のキャリア４５ｃは、軸受４６を介してフロントケース４１ａに回転可能に支持されている。キャリア４５ｃの先端部は、アタッチメントケース４１のフロントケース４１ａから前方へ突き出されている。突き出し部分に円盤形の研磨パッド４７がねじ止めされている。図１３に示すように研磨パッド４７は、その前面に研磨面４７ａを有している。
【００５２】
スイッチレバー３ａを引き操作して、電動モータ４を起動させると駆動軸４２が回転する。駆動軸４２の回転出力は、遊星ギヤ列４５で減速されてキャリア４５ｃに出力される。出力軸としてのキャリア４５ｃに取り付けた研磨パッド４７が回転する。回転する研磨パッド４７の研磨面４７ａを例えば踵や膝の角質化した部位に押し当てることにより、角質化した表皮を削り取ることができる。このように、主たる用途がねじ締め付け作業である電動工具１に第４実施形態に係るアタッチメント４０を装着することにより、当該電動工具１を踵や膝の角質化した部位を削り取る理美容機器として用いることができる。
【００５３】
図１６〜図１８には、第５実施形態のアタッチメント５０が示されている。図１６に示すように第５実施形態のアタッチメント５０は、第１〜第４実施形態の電動工具１とは異なる形態の電動工具１００に取り付けられている。第１〜第４実施形態では、工具本体部２に内装した電動モータ４のモータ軸線方向に対して交差する方向にグリップ部３が延びるピストル形の電動工具１が例示されている。第５実施形態及び後述する第６実施形態では、電動モータ１０２を内装した工具本体部１０１がグリップ部としても機能するストレート形の電動工具１００が例示されている。
【００５４】
図１５に示すように電動工具１００は、アタッチメント式のインパクト工具で、工具本体部１０１の先端に、アタッチメント装着部１０１ａを備えている。アタッチメント装着部１０１ａに、出力方向を９０°変換するためのアングルアタッチメント（図示省略）を取り付けることにより、当該電動工具１００をアングルインパクトドライバと称されるねじ締め機として利用することができる。図１５では、アングルアタッチメントを取り外した状態で示されている。工具本体部１０１の後部には、側方へほぼ矩形に張り出す電源部１０６が設けられている。この電源部１０６にスライド取り付け形式のバッテリパック１０７が取り付けられている。電動工具１００は、バッテリパック１０７の電力を電源として動作する。
【００５５】
図１６に示すように電動工具１００は、円筒形の本体ハウジング１０１ｂの長手方向中ほどに電動モータ１０２を内装している。電動モータ１０２の回転出力は、遊星ギヤ列１０３を経てインパクト機構１０４に伝達される。インパクト機構１０４の回転動力及び回転打撃力は、駆動軸１０５に出力される。駆動軸１０５はスリーブ形の滑り軸受１０５ａを介して本体ハウジング１０１ｂに回転可能に支持されている。駆動軸１０５の先端面には、スプライン孔１０５ｂが設けられている。工具本体部１０１の下面側には、スイッチレバー１０８が設けられている。工具本体部１０１を把持した手でスイッチレバー１０８を上方へ引き操作すると、電動モータ１０２が起動する。スイッチレバー１０８の前側には前方を明るく照らす照明具１０９が設けられている。
【００５６】
第５実施形態の他用途用のアタッチメント５０は、当該電動工具１００を電動ブラシとして利用するための機能を有している。アタッチメント５０は、アタッチメントケース５１に、駆動軸１０５の回転動力を往復直線運動に変換するための機能を内装した構成を備えている。アタッチメントケース５１は、その後部に設けた結合部５１ａの締め付けにより工具本体部１０１の前部に取り付けられる。アタッチメントケース５１の長手方向中ほどに、入力軸５２が軸受５３を介して回転可能に支持されている。入力軸５２の後部にはスプライン軸部５２ａが設けられている。スプライン軸部５２ａが駆動軸１０５のスプライン孔１０５ｂに挿入（スプライン嵌合）されて、入力軸５２が駆動軸１０５に一体回転可能に結合されている。
【００５７】
入力軸５２の前部には、駆動側の傘歯車５２ｂが一体に設けられている。駆動側の傘歯車５２ｂは、従動側の傘歯車５４に噛み合わされている。この噛み合い部位よりも前側の領域で、アタッチメント５０は上方を開放可能となっている。この上方開放領域は、蓋５１ｂで閉塞される。蓋５１ｂは、２本のねじ５１ｃでアタッチメントケース５１側にねじ止めされる。従動側の傘歯車５４は、軸受５５を介してアタッチメントケース５１に回転可能に支持されている。駆動側の傘歯車５２ｂと従動側の傘歯車５４との噛み合いにより、従動側の傘歯車５４は、入力軸５２の軸線（電動モータ１０２のモータ軸線）に対してほぼ直交する軸線回りに回転可能に支持されている。従動側の傘歯車５４の上面には、係合軸５４ａが上方へ突き出す状態で一体に設けられている。係合軸５４ａは、傘歯車５４の回転中心に対して僅かに偏心した位置に設けられている。
【００５８】
アタッチメントケース５１の前部には、作動板５６が支持されている。作動板５６は、滑り軸受５７を介して前後にスライド可能に支持されている。作動板５６の後部側は、傘歯車５４の上方に延びている。作動板５６の後部には、左右方向に長い溝孔形状の係合溝孔５６ａが設けられている。係合溝孔５６ａに上記係合軸５４ａが下方から進入している。係合軸５４ａの上部にはフランジ付きのスリーブ５４ｂが取り付けられている。スリーブ５４ｂが係合溝孔５６ａ内に進入して、係合軸５４ａの係合溝孔５６ａに対する摺動性が高められている。
【００５９】
作動板５６の前部側は、アタッチメントケース５１の前部から前方へ突き出されている。アタッチメントケース５１から突き出された部分であって、作動板５６の前部には、ブラシ５８が結合されている。ブラシ５８の植毛は下方に向けられている。ブラシ５８は、連結軸５９を抜き出せば作動板５６から分離して、簡単に交換できるようになっている。
【００６０】
電動モータ１０２が起動すると、遊星ギヤ列１０３及びインパクト機構１０４を経て駆動軸１０５に回転動力が出力される。駆動軸１０５の回転動力は、スプライン軸部５２ａのスプライン孔１０５ｂに対するスプライン嵌合部を経て入力軸５２に伝達される。入力軸５２の回転動力により従動側の傘歯車５４が回転し、従って係合軸５４ａが公転（平行移動）する。係合溝孔５６ａが左右方向に長いことにより、係合軸５４ａの前後方向成分だけが作動板５６に伝達され、従って当該作動板５６が前後に往復動する。こうして作動板５６が前後に往復動することにより、ブラシ５８が前後に往復動する。このため、主たる用途がねじ締め作業である電動工具１００を、例えば車両のホイールを洗浄するための電動ブラシとして利用することができる。
【００６１】
図１９及び図２０には、第６実施形態のアタッチメント６０が示されている。図１９に示すように第６実施形態のアタッチメント６０は、第５実施形態と同じ電動工具１００に取り付けることができる。変更を要しない部材及び構成については同位の符号を用いてその説明を省略する。第６実施形態の多用途用のアタッチメント６０は、アタッチメントケース６１に、駆動軸１０５の回転動力を左右の揺動運動に変換するための機能を内装した構成を備えている。
【００６２】
アタッチメントケース６１は、その後部に設けた結合部６１ａの締め付けにより工具本体部１０１の前部に取り付けられる。アタッチメントケース６１の長手方向中ほどに、入力軸６２が前後２つの軸受６７，６８を介して回転可能に支持されている。入力軸６２の後部には、第５実施形態と同じくスプライン軸部６２ａが設けられている。スプライン軸部６２ａが駆動軸１０５のスプライン孔１０５ｂに挿入（スプライン嵌合）されて、入力軸６２が駆動軸１０５に一体回転可能に結合されている。
【００６３】
入力軸６２の前部には、フランジ部６２ｂが設けられている。フランジ部６２ｂの前面には係合軸部６２ｃが前方へ突き出す状態に設けられている。係合軸部６２ｃは、入力軸６２の回転軸線に対して僅かな距離だけ偏心した部位に設けられている。係合軸部６２ｃは、ブラシ６３の係合溝孔６３ｂに進入している。アタッチメントケース６１の前部下面側は下方へ開放されている。この下面開放部には、矩形の窓部６４ａを有するブラシフレーム６４が３本のねじ６４ｂでねじ止めされている。窓部６４ａ内にブラシ６３が収容されている。ブラシ６３の後部上面には支持柱部６３ａが設けられている。支持柱部６３ａの上部に、上記した係合溝孔６３ｂが設けられている。係合溝孔６３ｂは、上下に長い溝孔形状を有している。
【００６４】
ブラシ６３は、アタッチメントケース６１に対して支軸６５を介して左右（図１９において紙面に直交する方向）に揺動可能に支持されている。支軸６５の前後端部は、アタッチメントケース６１の下面開口とブラシフレーム６４との間に挟まれて一定の位置に保持されている。この支軸６５に対してブラシ６３は、係合溝孔６３ｂの下側において支持柱部６３ａに保持した軸受６６を介して左右に揺動可能に支持されている。
【００６５】
電動モータ１０２が起動すると、遊星ギヤ列１０３及びインパクト機構１０４を経て駆動軸１０５に回転動力が出力される。駆動軸１０５の回転動力は、スプライン軸部６２ａのスプライン孔１０５ｂに対するスプライン嵌合部を経て入力軸６２に伝達される。入力軸６２が回転すると、係合軸部６２ｃが当該入力軸６２の回転軸線回りに公転する。係合軸部６２ｃの公転動作の左右方向成分のみが係合溝孔６３ｂを経てブラシ６３の支持柱部６３ａに伝達される。係合軸部６２ｃの公転動作により、支持柱部６３ａの上部が左右に変位することにより、ブラシ６３が支軸６５を中心にして左右に揺動する。
【００６６】
図１９に示すようにブラシ６３の植毛６３ｃは、下方へ向けられてブラシフレーム６４の下面からはみ出している。このため、支軸６５を中心にしてブラシ６３が左右に揺動することにより、その下面側の植毛６３ｃによりブラッシングすることができる。第５実施形態のアタッチメント５０では、ブラシ５８が前後方向に直線往復動してブラッシングがなされる。これに対して、第６実施形態のアタッチメント６０では、ブラシ６３が左右に揺動してブラッシングがなされる。図示するように第６実施形態のブラシ６３は第５実施形態に比してより大型の植毛６３ｃを有することから、靴磨き用ブラシの他、例えば金属製品の洗浄ブラシとして利用することができる。ブラシ６３の植毛６３ｃを金属ワイヤとすることにより、金属類の錆取り用のワイヤブラシとして利用することができる。
【００６７】
以上説明した実施形態では、主たる用途がねじ締め作業である電動工具１、１００をエアブロー、理美容機器あるいは電動ブラシ等の他の用途に利用できるようにするためのアタッチメント１０〜６０を例示したが、さらに別形態のアタッチメントを取り付けることができる。例えば、回転動力をハサミの開閉動作に変換するアタッチメントを取り付けることにより、ねじ締め作業を主たる用途とする電動工具を、布地の裁断や段ボールの切断等の異なる他の用途に用いることができる。
【００６８】
また、電動工具１、１００としてねじ締め方向に打撃を与えるインパクト機構を内装したねじ締め機を例示したが、インパクト機構を有しないねじ締め機、電気ドリルあるいはディスクグラインダ等の電動工具について、例示した各種の他用途用アタッチメント１０〜６０を適用することができる。
【符号の説明】
【００６９】
１…電動工具（インパクトねじ締め機）
２…工具本体部
２ａ…本体ハウジング、２ｂ…インパクトケース、２ｃ…インパクトケースカバー
２ｄ…バンパ、２ｅ…照明具
３…グリップ部
３ａ…スイッチレバー、３ｂ…スイッチ本体
４…電動モータ
５…遊星ギヤ列
６…インパクト機構、６ａ…出力軸
７…ビット装着部
８…電源部
８ａ…コントローラ、８ｂ…表示部、８ｃ…ハンドストラップ
９…バッテリパック
１０…アタッチメント（第１実施形態）
１１…アタッチメントケース
１１ａ…フロントケース、１１ｂ…リヤケース、１１ｃ…結合部、１１ｄ…ねじ
１１ｅ…吸気口、１１ｆ…吹き出し口
１２…フィン、１２ａ…軸部
１３…軸受
１４…駆動軸
２０…アタッチメント（第２実施形態）
２１…アタッチメントケース、２１ａ…結合部
２２…蓋部、２２ａ…ねじ
２３…駆動軸、２３ａ…スプライン軸部
２４…中間作動軸
２４ａ…スプライン嵌合孔、２４ｂ…偏心軸部
２５…出力軸、２５ａ…係合孔、２５ｂ…傾動支持部
２６…先端刃具
２７…ねじ
２８…軸受
２９…支軸
３０…アタッチメント（第３実施形態）
３１…内刃
３２…ねじ
３３…外刃ケース
３４…ねじ
３５…外刃
４０…アタッチメント（第４実施形態）
４１…アタッチメントケース
４１ａ…フロントケース、４１ｂ…リヤケース、４１ｃ…結合部
４１ｄ…雌ねじ部、４１ｅ…雄ねじ部
４２…駆動軸、４２ａ…ギヤ部
４３…軸受
４５…遊星ギヤ列
４５ａ…プラネタリギヤ、４５ｂ…インターナルギヤ、４５ｃ…キャリア
４６…軸受
４７…研磨パッド、４７ａ…研磨面
５０…アタッチメント（第５実施形態）
５１…アタッチメントケース
５１ｂ…蓋、５１ｃ…ねじ
５２…入力軸
５２ａ…スプライン軸部、５２ｂ…傘歯車
５４…傘歯車
５４ａ…係合軸、５４ｂ…スリーブ孔
５５…軸受
５６…作動板
５６ａ…係合溝孔
５７…滑り軸受
５８…ブラシ
６０…アタッチメント（第６実施形態）
６１…アタッチメントケース、６１ａ…結合部
６２…入力軸
６２ａ…スプライン軸部、６２ｂ…フランジ部、６２ｃ…係合軸部
６３…ブラシ
６３ａ…支持柱部、６３ｂ…係合溝孔、６３ｃ…植毛
６４…ブラシフレーム、６４ａ…窓部
６５…支軸
６６…軸受
６７，６８…軸受
１００…電動工具
１０１…工具本体部、１０１ａ…アタッチメント装着部
１０２…電動モータ
１０３…遊星ギア列
１０４…インパクト機構
１０５…駆動軸、１０５ａ…滑り軸受、１０５ｂ…スプライン孔
１０６…電源部
１０７…バッテリパック
１０８…スイッチレバー
１０９…照明具
【図１】
2018015864.tif 000003
【図２】
2018015864.tif 000004
【図３】
2018015864.tif 000005
【図４】
2018015864.tif 000006
【図５】
2018015864.tif 000007
【図６】
2018015864.tif 000008
【図７】
2018015864.tif 000009
【図８】
2018015864.tif 000010
【図９】
2018015864.tif 000011
【図１０】
2018015864.tif 000012
【図１１】
2018015864.tif 000013
【図１２】
2018015864.tif 000014
【図１３】
2018015864.tif 000015
【図１４】
2018015864.tif 000016
【図１５】
2018015864.tif 000017
【図１６】
2018015864.tif 000018
【図１７】
2018015864.tif 000019
【図１８】
2018015864.tif 000020
【図１９】
2018015864.tif 000021
【図２０】
2018015864.tif 000022